(57)【要約】      （修正有）【課題】消火栓装置の開放構造を簡単にしてコストを低減すると共に扱い易くする。【解決手段】内部に消火栓弁と消火ホースを収納した消火栓装置１０の収納箱前面の開口部１４に、上部の保持で前記開口部を閉鎖し、上部の保持解除で下降して開口部を開くシャッター機構を設ける。シャッター機構は、上側に位置する板部材の下部内側に下側に位置する板部材の上部が重なるように複数枚の板部材２６−１〜２６−５を高さ方向に連設したシャッター扉２４を設け、シャッター扉２４の各板部材を上下方向にガイド溝３４で案内させ、シャッター開閉操作部３０によりシャッター扉２４の最上部の板部材２６−１を保持して各板部材２６−１〜２６−５を吊下げ展開させることで開口部１４を閉鎖し、ハンドルレバー３２を回動操作するとシャッター扉３０の保持が解除され、シャッター扉３０の各板部材２６−１〜２６−５が下降して開口部１４を開放させる。【選択図】図１
2012235910.tif 000002
【特許請求の範囲】
【請求項１】
前面に開口した収納箱の内部に消火ホースを収納した消火栓装置に於いて、
前記収納箱前面の開口部に、上部の保持で前記開口部を閉鎖し、上部の保持解除で下降して前記開口部を開くシャッター機構を設けたことを特徴とする消火栓装置。
【請求項２】
請求項１記載の消火栓装置に於いて、前記シャッター機構は、
複数枚の板部材を備え、上側に位置する板部材の下部内側に下側に位置する板部材の上部が重なるように前記複数枚の板部材を高さ方向に連設したシャッター扉と、
前記開口部の両側に形成され、前記シャッター扉の各板部材を上下方向に案内移動させるガイド溝と、
前記シャッター扉の最上部の板部材を前記開口上部に保持して下側の板部材を吊下げ展開させることで前記開口部を閉鎖し、前記最上部の板部材の保持を解除して前記各板部材を下降させて前記開口部を開放させるシャッター開閉操作部と、
を備えたことを特徴とする消火栓装置。
【請求項３】
請求項２記載の消火栓装置に於いて、前記シャッター扉は、
前記複数の板部材の両端に一体に形成され前記ガイド溝に沿って移動するガイド部と、
前記複数の板部材を順番に連結して展開状態に吊下げる紐部材と、
を備えたことを特徴とする消火栓装置。
【請求項４】
請求項２記載の消火栓装置に於いて、前記シャッター扉は、
前記複数の板部材の両端に一体に形成され前記ガイド溝に沿って移動するガイド部と、
下端内側に嵌合受け部を形成した最上部に位置する板部材と、
上端外側に嵌合突起部を形成した最下部に位置する板部材と、
上端外側に嵌合突起部を形成すると共に下端内側に嵌合受け部を形成した最上部と最下部との間に位置する１又は複数枚の板部材と、
を備え、
前記最上部の板部材を前記開口上部に保持した状態で、前記嵌合受け部に対する前記嵌合突起部の嵌合により前記複数の板部材を吊下げ状態に連設して前記開口部を閉鎖し、前記最上部の板部材の保持解除による前記ガイド溝に沿った前記各板部材の下降により前記開口部を開放することを特徴とする消火栓装置。
【請求項５】
請求項２記載の消火栓装置に於いて、前記ガイド溝は、前記シャッター扉を構成する複数の板部材が保持解除により下降して前記開口部の下部に重り状態で位置する重り幅に対応した溝幅を有することを特徴とする消火栓装置。
【請求項６】
請求項２記載の消火栓装置に於いて、前記シャッター開閉操作部は、
テーパ面に対する部材の当接又はハンドルレバーの回動操作により引き込まれる出没自在なラッチ爪を備えた操作部本体と、
前記シャッター扉の最上部に位置する板部材の先端に設けたラッチ穴を備えたラッチ金具と、
を備え、
前記ラッチ金具のラッチ穴に前記操作部本体スのラッチ爪を挿入した状態で前記シャッター扉を吊下げて閉鎖し、前記ハンドルレバーの回動操作により前記ラッチ爪を前記ラッチ穴から抜いて前記シャッター扉を開放させることを特徴とする消火栓装置。
【請求項７】
請求項２記載の消火栓装置に於いて、前記シャッター扉を構成する部材を例えば透明或いは半透明状としたことを特徴とする消火栓装置。
【請求項８】
前面に開口した収納箱の内部に消火ホースを収納した消火栓装置に於いて、
前記収納箱前面の開口部に、左右の一方で保持し、その解除によって左右の他方へスライド開放するシャッター機構を設けたことを特徴とする消火栓装置。
【発明の詳細な説明】
【技術分野】
【０００１】
本発明は、火災時の消火活動に使用される消火ホースと消火栓弁を収納した消火栓装置に関する。
【背景技術】
【０００２】
従来、建物内で発生した火災を消火するための消火栓装置としては例えば図１３乃至図１５に示すのもが知られている。
【０００３】
図１３は従来の消火栓装置の正面図であり、消火栓装置１００は金属製の収納箱１０２の前面に、図示しない蝶番構造等を介して開閉自在に消火栓扉１０４を設け、また消火栓扉１０４の上部には通報パネル１０６が設けられ、ここに発信機１０８、赤色表示灯１１０、及び内蔵した警報用スピーカに対応して音響孔１１２を設けている。
【０００４】
赤色表示灯１１０は常時点灯し、消火栓装置１００の設置場所が遠方から視認できるようにしている。火災時には、発信機１０８中央に設けたボタンを押圧操作することでボタン内側のスイッチをオンすると、発信信号が監視室の防災受信盤に送信されて防災受信盤の報知部から火災警報が報知出力されると共に、防災受信盤から引き出された制御線に接続されて各所に設置された地区音響端末に対して地区音響信号が送られて所定の各場所でも警報音が出力される。
【０００５】
図１４は図１３に示した消火栓装置１００の消火栓扉１０４を取り外してた内部構造を示した説明図であり、収納箱１０２の内部には消火栓弁１１４が配置され、消火栓弁１１４には先端にノズル１１８を装着した消火ホース１１６が連結接続され、図示の如くホルダー１２０に折り畳み状態で掛けることで引き出し自在に収納している。図１５はこの消火栓扉１０４を開放した状態であり、図１４に示した内部構造は省略している。
【０００６】
通常時、消火栓装置１００の消火栓扉１０４は図１３に示した如く閉じられており、適宜の扉ロック機構等により閉状態に維持されている。そして火災が発生した場合には、扉ロック機構等を操作して扉閉状態を解除して図１５のように消火栓扉１０４を開き、例えば一人がノズル１１８を持ちながら消火ホース１１６を引き出して火災発生場所（消火対象）に向かい、もう一人が発信機１０８を操作して通報すると共に消火栓弁１１４を開放操作するといったように、二人ないしそれ以上で消火活動を行う。これは、ホースの引出中に消火栓弁１１４を開放すると、水圧とその反動等によりホースが適切に引き出せなくなったり、危険が生じたりするといった問題を回避するため、また使用中、消火栓扉の開放を人の手で維持する必要がある等のためである。
【０００７】
このように、少なくとも二人操作を必要とする消火栓装置は１号消火栓として法的に規格が定められており、一方、一人操作を可能とする消火栓として放水による反動力を抑えると共に保形ホースを使用した２号消火栓も法的に規格が定められている。
【先行技術文献】
【特許文献】
【０００８】
【特許文献１】特開平９−３８２３１号公報
【発明の概要】
【発明が解決しようとする課題】
【０００９】
ところで、従来、このような消火栓装置を使用した消火活動における統計結果として、火災発生時の消火栓の使用例に対し奏功率は１０％に留まることが報告されている。これはスプリンクラー消火設備の奏功率が６０〜７０％にあることと対比すると、消火栓の成奏功率はかなり低い結果となっている。
【００１０】
このように消火栓装置の奏功率が低い要因は、消火栓装置は通常時、図１３に示したように消火栓扉１０４が閉じていて内部を見ることができないため、図１４に示すような消火栓弁と消火ホースを収納した内部構造が充分知られておらず、また、火災が発生した場合に図１５のように消火栓扉１０４を開いても、角度によっては扉に遮られて内部が見えづらいために扱い難いことに起因している。また、消火栓扉１０４の前にものが置かれている場合などには、扉が迅速に開放できないといったことも考えられる。
【００１１】
また金属製の消火栓扉を使用して堅牢に閉鎖している印象を強く与えるため、日常的に消火栓扉を開いて内部を確認するといったことは行われにくく、必要時に扱いがわかりにくい要因のひとつともなっている。
【００１２】
また、従来の消火栓装置は、耐火構造を実現するために、金属製の収納箱に同じく金属製の消火栓扉を設けており、開閉構造やロック構造等が複雑であるだけでなく所定以上の強度も求められ、コスト的に高価になるという問題もあった。
【００１３】
本発明は、上記問題点を解決し、消火栓装置の開放閉構造を簡単にして扱い易くすると共にコストも低減する消火栓装置を提供することを目的とする。
【課題を解決するための手段】
【００１４】
本発明は、前面に開口した収納箱の内部に消火ホースを収納した消火栓装置に於いて、
収納箱前面の開口部に、上部の保持で開口部を閉鎖し、上部の保持解除で下降して開口部を開くシャッター機構を設けたことを特徴とする。
【００１５】
ここで、シャッター機構は、
複数枚の板部材を備え、上側に位置する板部材の下部内側に、下側に位置する板部材の上部が重なるように複数枚の板部材を高さ方向に連設したシャッター扉と、
開口部の両側に形成され、シャッター扉の各板部材を上下方向に案内移動させるガイド溝と、
シャッター扉の最上部の板部材を開口上部に保持して下側の板部材を吊下げ展開させることで開口部を閉鎖し、最上部の板部材の保持を解除することにより各板部材を下降させて前記開口部を開放させるシャッター開閉操作部と、
を備える。
【００１６】
シャッター扉は、
複数の板部材の両端に一体に形成され、ガイド溝に沿って移動するガイド部と、
複数の板部材を順番に連結して展開状態に吊下げる紐部材と、
を備える。
【００１７】
シャッター扉は、
複数の板部材の両端に一体に形成されガイド溝に沿って移動するガイド部と、
下端内側に嵌合受け部を形成した最上部に位置する板部材と、
上端外側に嵌合突起部を形成した最下部に位置する板部材と、
上端外側に嵌合突起部を形成すると共に下端内側に嵌合受け部を形成した最上部と最下部との間に位置する１又は複数枚の板部材と、
を備え、
最上部の板部材を開口上部に保持した状態で、嵌合受け部に対する嵌合突起部の嵌合により複数の板部材を吊下げ状態に連設して開口部を閉鎖し、最上部の板部材の保持解除によるガイド溝に沿った各板部材の下降により開口部を開放する。
【００１８】
ガイド溝は、シャッター扉を構成する複数の板部材が保持解除により下降して開口部の下部に重り状態で位置する重り幅に対応した溝幅を有する。
【００１９】
シャッター開閉操作部は、
テーパ面に対する部材の当接又はハンドルレバーの回動操作により引き込まれる出没自在なラッチ爪を備えた操作部本体と、
シャッター扉の最上部に位置する板部材の先端に設けたラッチ穴を備えたラッチ金具と、
を備え、
ラッチ金具のラッチ穴に操作部本体スのラッチ爪を挿入した状態でシャッター扉を吊下げて閉鎖し、ハンドルレバーの回動操作によりラッチ爪を前記ラッチ穴から抜いてシャッター扉を開放させる。
【００２０】
シャッター扉を構成する部材を例えば透明或いは半透明状とする。
【００２１】
また本発明は、前面に開口した収納箱の内部に消火ホースを収納した消火栓装置に於いて、収納箱前面の開口部に、左右の一方で保持し、その解除によって左右の他方へスライド開放するシャッター機構を設けたことを特徴とする。
【発明の効果】
【００２２】
本発明によれば、消火栓弁と消火ホースを収納した収納箱の開口を、シャッター扉を構成する複数の板部材をシャッター開閉操作部による上部の保持で吊下げ展開して閉鎖し、シャッター開閉操作部の操作により上部保持を解除してシャッター扉を下降して開放させるようにしたため、消火栓装置の前面を開放した際に、従来の消火栓扉のように開放扉が装置前側に突出しないことから、開いた扉に遮られて内部が見えづらくなるようなことがなく、消火栓弁と消火ホースを収納した内部構造を外部から容易に確認することができ、その結果、取扱いが容易となり、消火栓装置による奏功率を高めることが期待できる。
【００２３】
またシャッター機構は、シャッター扉を構成する複数の板部材をガイド溝に沿って相互重なり合うように上部の保持で吊下げ展開して開口部を閉鎖し、上部の板部材の保持を解除操作して複数の板部材をガイド溝に沿って下降させることで開口部を開放する構造であり、上部での巻き取りと巻き出しによりシャッター扉を開閉する既存のシャッター機構に比べ構造が簡単であり、コストを充分に抑制することができる。
【００２４】
またシャッター扉を構成する部材を例えば透明或いは半透明状として外部から内部構造を視認可能とすることで、常時から内部構造を目にする機会を増やすことができるので、必要時の取扱に対する抵抗感を軽減することができる。
【図面の簡単な説明】
【００２５】
【図１】本発明による消火栓装置の実施形態を正面から示した説明図
【図２】図１における収納箱の一部を破断してシャッター扉の閉鎖状態を示した説明図
【図３】図１の消火栓装置のスクリーン閉鎖状態と開放状態の縦断面を示した説明図
【図４】図１の消火栓装置の横断面を２段階に分けて示した説明図
【図５】図１のシャッター扉を取り出して示した説明図
【図６】図５のシャッター扉を構成する板部材の紐による吊下げ連結を示した説明図
【図７】シャッター開閉操作部に対するシャッター扉の保持構造を示した説明図
【図８】シャッター開閉操作部の操作手順を示した説明図
【図９】シャッター扉を開いた状態を示した斜視図
【図１０】シャッター扉を開いた状態を正面から示した斜説明図
【図１１】本発明で用いるシャッター扉の他の実施形態を示した説明図
【図１２】図１１のシャッター扉を用いた消火栓装置のスクリーン閉鎖状態と開放状態を概略縦断面で示した説明図
【図１３】従来の消火栓装置を示した正面図
【図１４】従来の消火栓装置について消火栓扉を取り外して内部構造を示した説明図
【図１５】従来の消火栓装置について消火栓扉の開放状態を示した説明図
【発明を実施するための形態】
【００２６】
図１は本発明による消火栓装置の実施形態を例示した説明図である。図１において、本実施形態の消火栓装置１０は、内部に図１３の従来例と同様に、消火栓弁と消火ホースを収納した金属製の収納箱１２を備え、収納箱１２の前面の開口部１４に、シャッター扉２４とシャッター開閉操作部３０（閉止保持、閉止保持解除機構含む）で構成されるシャッター機構を設け、シャッター扉２４により開口部１４を開閉自在としている。
【００２７】
シャッター扉２４は例えば５枚の板部材２６−１〜２６−５で構成され、図２で両側前枠を図示消去してシャッター扉２４全体を露出させた状態として示すように、収納箱１２の前面側左右には、板部材２６−１〜２６−５の左右端に設けたガイド部３６に対応するようにガイド溝３４が形成されており、当該板部材２６−１〜２６−５はそのガイド部３６をこのガイド溝３４に挿入されることで左右方向の移動を制限されつつ、上下方向には摺動自在となっている。
【００２８】
板部材２６−１〜２６−５は後述するように、それぞれ上下部の一部ずつが重なった状態で紐部材により連結され、上部を保持して吊下げ展開することで開口部１４を閉鎖している。
【００２９】
シャッター扉２４を構成する板部材２６−１〜２６−５としては金属パネルを使用するが、不燃性や難燃性の合成樹脂シートを使用しても良い。このとき特に、透明状或いは半透明状の合成樹脂等を用いて形成した板状シートを用いれば、開口部を閉鎖した状態においても外部から内部構造を視認可能とすることができる。
【００３０】
シャッター扉２４の最上部に位置する板部材２６−１は、収納箱１２側に固定したシャッター開閉操作部３０により保持され、この保持状態で紐部材により連結された板部材２６−１〜２６−５が図示のように吊下げ状態に展開して開口部１４を閉鎖している。
【００３１】
消火栓装置１０を使用する際には、シャッター開閉操作部３０のハンドルレバー３２を例えば下向き（右回り）に回動操作すると、板部材２６−１の保持が解除され、板部材２６−１〜２６−４はガイド溝３４に沿って自重により各板面が順次重なりつつ下降し、開口部１４を開放する。なお、板部材２６−５は最下部に位置することから動くことはない。
【００３２】
シャッター扉２４における最上部の板部材２６−１には取っ手２８が設けられ、開放したシャッター扉３０を閉じる場合に取っ手２８をもって上に引き上げ、シャッター開閉操作部３０に保持させる閉鎖作業が容易にできるようにしている。なお、ハンドルレバーはいた部材２６−１側に設けても良く、この場合は取っ手２８と兼用可能であることから、取っ手２８は省略しても良い。
【００３３】
また収納箱１２の上部には通報パネル１６が設けられ、ここに発信機１８、赤色表示灯２０、及び内臓したスピーカなどに対応する音響孔２２を設けている。
【００３４】
図３は図１の消火栓装置の内部構造を縦断面で示しており、図３（Ａ）はシャッター閉鎖状態、図３（Ｂ）はシャッター開放状態である。
【００３５】
図３（Ａ）において、シャッター扉２４は最上部に位置する板部材２６−１に設けた係止部（後述するフック金具４０）を操作パネル１６の下部内側に設けたシャッター開閉操作部３０の係止受け部（後述するフック爪５０）に係止保持させることで、一部重なりつつ紐部材により順番に連結された板部材２６−１〜２６−５を吊下げ展開して開口部１４を閉鎖している。
【００３６】
シャッター開閉装置３０は外部にハンドルレバー３２を取り出しており、ハンドルレバー３２を回動操作すると板部材２６−１の係止保持が解除され、紐部材により連結されている板部材２６−１〜２６−４はガイド溝に沿って下降し、図３（Ｂ）に示すように、下部のシャッター収納部３８の中に重ね合わされた状態で収納され、開口部１４を開放状態とする。なお、最下部の板部材２６−５はシャッター扉２４の一部としてでなく、収納箱に一体に形成されて開口部１４の下側の所定部分を常時閉鎖する固定部材としても良い。
【００３７】
ここで、シャッター収納部３８の奥行き方向の溝幅は、開放操作により下降した板部材２６−１〜２６−５の重なりによる合計厚みが収納できるように、板部材２６−１〜２６−５の板厚の合計寸法に所定の余裕幅を加えた溝幅とする。
【００３８】
図４は図１の消火栓装置の内部構造を横断面で示しており、図４（Ａ）は消火栓装置１０の上部（天部）側から見たシャッター開閉操作部３０の位置における断面、図４（Ｂ）は同条件で見た消火栓装置１０の底部側断面を示している。
【００３９】
図４（Ａ）のシャッター開閉装置３０の位置については、シャッター扉２４における最上部の板部材２６−１に設けたフック金具４０のフック穴４２（図５参照）に、シャッター開閉操作部３０の操作ボックス４８の側面に設けたフック爪５０が挿通して係止保持している。フック爪５０はハンドルレバー３２を下向きに回動すると操作ボックス４８に引き込まれ、フック金具４０から抜けて係止保持を解除する。
【００４０】
図４（Ｂ）の収納箱１２の底部側については、開口部１４の両側内側に形成したガイド溝３４に最下部に位置する板部材２６−５が摺動自在に配置されている。
【００４１】
図５は図１の消火栓装置に設けたシャッター扉３０を取り出して示している。シャッター扉２４は５枚の板部材２６−１〜２６−５を備えて構成され、左右方向両端上部にガイド部３６を突出形成し、ガイド部３６の付け根部分を２本の紐部材４４により連結している。紐部材２４としては金属ワイヤー、不燃性や難燃性の繊維を使用した繊維紐、不燃性や難燃性の樹脂を使用した樹脂紐などを使用する。
【００４２】
図６は図５の板部材２６−１，２６−２の連結状態を取り出して示している。図６において、最上部に位置する板部材２６−１のガイド部３６の付け根側には、図示の如く例えば不燃性又は難燃性の繊維を使用した紐部材４４の先端が結び部４５により締結される。板部材２６の下側に位置する次の板部材２６−２については、紐部材４４に金属ワイヤーで作られた連結金具３６４６を所定位置に対応するよう巻き付け固定してガイド部３６を通すことで連結している。
【００４３】
板部材２６−１，２６−２を繋ぐ紐部材４４の長さは、板部材２６−１をシャッター開閉操作部３０に係止保持して板部材２６−２を紐部材４４により吊下げた場合に、板部材２６−１の下部内側（消火栓装置内部側）に板部材２６−２の上部が位置して部分的に所定量重なり合う長さとする。他の板部材２６−３〜２６−５との紐部材４４による連結も同様である。
【００４４】
また図５に示すように、最上部に位置する板部材２６−１の上部内側にはフック金具４０が固定され、フック金具４０にはフック穴４２が形成されている。
【００４５】
図７は図１の消火栓装置におけるシャッター開閉操作部３０に対するシャッター扉２４の係止保持構造部を取り出して示した説明図である。シャッター扉２４の最上部に位置する板部材２６−１は、中央奥行き方向（消火栓装置の奥行きに向かう方向）にプレート部材を延在したフック金具４０を固定しており、フック金具４０には矩形のフック穴４２が形成されている。
【００４６】
一方、収納箱１２の開口部１４側、通報パネル１６の下部に設けた支持部に固定されるシャッター開閉操作部３０は、矩形の操作ボックス４８から前方に取り出した操作軸にハンドルレバー３２を取付けており、また操作ボックス４８の側面側にフック爪５０を突出および引き込み可能としている。
【００４７】
クック爪５０はフック金具４０が当接する下側の面を、突出先端に向かって上方に傾けたテーパ面としており、フック金具４０を下側から押し当てるとフック爪５０は操作ボックス４８に内蔵バネに抗して押し込まれ、フック穴４２がフック爪５０の挿通可能位置に来ると再び内蔵バネにより押し出されてフック穴５０に挿入され、係止保持状態となる。
【００４８】
またハンドルレバー３２を図示の水平位置から下向き（右回り）に回動すると、操作ボックス４８内のリンク機構又はカム機構を介してフック５０が操作ボックス４８内に引き込まれ、フック金具４０のフック穴から抜けることで係止保持を解除できる。このようなフック金具４０とシャッター開閉操作部３０の組合せによる機構構造は、例えば一般的なドアハンドルに使用されているドア開閉操作機構と同じ構造を利用できる。
【００４９】
特に本実施形態のシャッター開閉操作部３０は、日常生活で使用しているドア開閉のハンドルレバーと同じ構造であることから、ハンドルレバー３２の操作に違和感が全くなく、火災という非常時であっても抵抗感無く簡単且つ確実に操作してシャッター扉を開くことができる。
【００５０】
図８は図７に示したシャッター開閉操作部３０の操作手順を示した説明図である。図８（Ａ）はシャッター扉２４により開口部を閉鎖した状態であり、シャッター扉２４の最上部の板部材２６−１に設けたフック金具４０のフック穴４２にシャッター開閉操作部３０のフック爪５０を挿入して係止保持している。
【００５１】
図８（Ｂ）はシャッター扉２４の開放操作であり、シャッター開閉装置３０のハンドルレバー３２を矢印で示すように回動操作するとフック爪５０が操作ボックス４８内へ引き込まれ、フック金具４０の係止保持が解除される。
【００５２】
図８（Ｃ）はシャッター扉２４の開放後であり、フック金具４０の係止保持解除に伴って板部材２６−１は紐部材により連結している他の板部材と共に自重によりガイド溝に沿って下降し、収納箱の前面を開放することになる。
【００５３】
図９はシャッター扉２４を開放した斜視図であり、図１０にはその正面図を示している。図９及び図１０において、ハンドルレバー３２を操作してシャッター扉２４を開放すると、展開状態に吊下げ保持されていた板部材２６−１〜２６−４は自重により下降し、開口部１４の下部に奥行き方向に重ね合わされた状態で収納され、収納箱１２の前方に対する突出（扉の回動張り出し）を生じることなく（消火栓装置１０前方に扉開放のためのスペースを必要とすることなく）開放する。
【００５４】
このためシャッター扉２４が開いた収納箱１２の内部に図１４の従来例と同様に収納しているノズル付き消火ホースの引き出しや消火栓弁の操作を行うことができる。また消火作業が終了した後に消火ホースを元に戻す収納復旧作業も、収納箱１２の前方に対する突出がないことから、容易に行うことができる。
【００５５】
開放したシャッター扉２４の閉鎖は、板部材２６−１に設けた取っ手２８を持ち、ガイド溝３４に沿って上部に引き上げると、紐部材により連結された他の板部材２６−２〜２６−４も順次引き上げられ、フック金具４０をシャッター開閉装置３０の位置にまで引き上げるとラッチ爪５０がフック金具４０のフック穴４２に挿通して系止保持され、板部材２６−１〜２６−５を図１に示したように吊下げ展開して開口部１４を閉鎖することができる。
【００５６】
図１１は本発明の消火栓装置に用いるシャッター扉の他の実施形態を示した説明図である。図１１において、シャッター扉２４は例えば板部材２６−１，２６−２，・・・２６−５で構成され、図５、図６で示した実施形態同様、上部両側にガイド部３６を突出形成している。
【００５７】
最上部に位置する板部材２６−１の左右両側の下部には消火栓装置の内部側に延出屈曲したＵ字形の嵌合受け部５２を形成している。また板部材２６−２〜２６−４には、これとあわせて左右両側上部に、逆Ｕ字型の嵌合突起５４を、消火栓装置の外部側に向けて延出形成している。また最下部に位置する板部材２６−５の左右両側の上部に嵌合突起５４を形成している。なお、嵌合受け部５２をＬ字形又はコ字型とし、これに対応して嵌合突起部５４をそれぞれ逆Ｌ字形又はコ字型としても良い。
【００５８】
図１２は図１１のシャッター扉２４を用いた消火栓装置１０の概略縦断面であり、図１２（Ａ）に閉鎖状態を、図１２（Ｂ）に開放状態を示している。
【００５９】
図１２（Ａ）の閉鎖状態にあっては、最上部に位置する板部材２６−１をシャッター開閉操作部３０で係止保持すると、板部材２６−１の左右下部内側の嵌合受け部５２に板部材２６−２の左右上部外側の嵌合突起５４が嵌合して吊下げ連結される。同様に板部材２４−２〜２４−５との間でも、各嵌合受け部５２に対する嵌合突起５４の嵌合により順番に吊下げ連結され、開口部１４を閉鎖する。
【００６０】
シャッター開閉装置３０による板部材２６−１の罫紙係止保持を解除すると、最下部の板部材２６−５を除く板部材２４−１〜２４−４はその自重により下降し、図１２（Ｂ）に示すように、シャッター収納部３８の中に重ね合わされた状態で収納されて開口部１４を開くことになる。
【００６１】
開放したシャッター扉３０（２４？）の閉鎖は、板部材２６−１の取っ手２８を持ち、ガイド溝２８に沿って上部に引き上げると、板部材２６−１に続いて部材２６−２〜２６−４の嵌合受け部５２と、それぞれに対応する嵌合突起５４が順次嵌合しながら引き上げられ、板部材２６−１をシャッター開閉装置の位置に引き上げてシャッター開閉装置３０で係止保持することで、図１２（Ａ）に示すように、板部材２６−１〜２６−５を吊下げ展開する。
【００６２】
ここでシャッター収納部３８の奥行き方向の溝幅は、板部材２６−１〜２６−５の板厚の合計に、板部材２６−１〜２６−４の嵌合受け部５２（或いは嵌合突起５４）の奥行き寸法の合計と所定の余裕寸法を加えた溝幅とすることで、下降する板部材２６−１〜２６−４が途中で止まることなくスムースに下降することを可能とする。ここでは嵌合受け部５２と嵌合突起５４の奥行き寸法が同じであるものとして説明しているが、両寸法が異なる場合には当然、大きい方の寸法に基づいてシャッター収納部３８の溝幅を決定する。
【００６３】
またシャッター収納部３８から板部材２４−１〜２４−４を引き上げる場合、確実に嵌合連結ができるようにするため、重なり合って収納している板部材２６−１〜２６−５に、奥行き方向に各板部材が重なり合う向きの力を加えるバネ部材を配置するようにしても良い。
【００６４】
なお上記の実施形態にあっては、開口部を縦方向に５分割した寸法に対応した縦幅をもつ板部材を連結したシャッター扉を例にとっているが、シャッター扉を構成する板部材の分割数は、シャッター扉を開いた際に必要とする開口面積が確保できる範囲で所望の分割数とすれば良い。
【００６５】
また上記の実施形態に示したシャッター開閉操作部は一例であり、最上部に位置するシャッター扉の板部材を保持して開口部を閉鎖し、所定の操作により板部材の保持を解除してシャッター扉を開く構造であれば適宜の構造を適用できる。例えば、シャッター扉２４のシャッター構造は上記実施形態の他、例えば蛇腹状やアコーディオン状の構造としても良い。
【００６６】
また、上記の実施形態は二人操作を行う消火栓を例にとっているが、一人操作を行う消火栓についても同様に適用できる。また、人の手によって、通常閉鎖されている収納箱の内部に収納された各種装置等を取り出したり操作したりする消火栓装置である限りにおいて、収納箱の内部に設ける装置類は任意であり、例えば上記実施形態のものに加え消火ポンプの起動スイッチボタン等を設けた消火栓装置についても同様に適用できる。
【００６７】
また本発明の適用対象となる消火栓装置は屋内型に限らない。更に、上記各実施形態で示した消火栓装置の、例えば収納箱に内蔵されるホース類や消火栓弁、通報パネル部の構成及び配置その他、扉部分以外の構成についても任意であり、適宜の構成を採用して良い。要するに、消火栓装置の開口部に対しシャッター扉とシャッター開閉操作部を用いた開閉構造を設け、本願の課題の一部又は全部を解決し、或いは若干でも改善するものであれば良い。
【００６８】
また、上記の実施形態にあっては、ハンドルレバー３２のレバー先端を右側に向けて配置し、下向きに回動操作（右回り）して開放しているが、ハンドルレバー３２のレバー先端を左側に向けて配置し、下向きに回動操作（左回り）して開放するようにしても良い。
【００６９】
また、上記実施形態においてはシャッター構造を成す板部材２６−１〜２６−５が、上下方向に開閉する例を示したが、左右方向に開閉するようにしても良い。この場合はシャッター開閉操作部３０、ハンドルレバー３２、取っ手２８、ガイド部３６は左右方向開閉に適合する位置に配置する。この場合、自重によって開放保持される作用が得られなくなるため、必要に応じ適宜の開放保持機構を設けても良い。このように開閉方向を左右とする場合には、上記実施形態のように上下方向に開閉する方式でシャッターを開放した場合に、最下部に位置する板部材２６−５がホースの引出の妨げになるという問題点を解消することができる。
【００７０】
また本発明は、その目的と利点を損なうことのない適宜の変形を含み、更に、上記の実施形態に示した数値による限定は受けない。
【符号の説明】
【００７１】
１０：消火栓装置
１２：収納箱
１４：開口部
１６：通報パネル
１８：発信機
２０：赤色表示灯
２２：音響孔
２４：シャッター扉
２６−１〜２５−５：板部材
２８：取っ手
３０：シャッター開閉操作部
３２：ハンドルレバー
３４：ガイド溝
３６：ガイド部
３８：シャッター収納部
４０：フック金具
４２：フック穴
４４：紐部材
４５：結び部
４６：連結金具
４８：操作ボックス
５０：フック爪
５２：嵌合受け部
５４：嵌合突起
【図１】
2012235910.tif 000003
【図２】
2012235910.tif 000004
【図３】
2012235910.tif 000005
【図４】
2012235910.tif 000006
【図５】
2012235910.tif 000007
【図６】
2012235910.tif 000008
【図７】
2012235910.tif 000009
【図８】
2012235910.tif 000010
【図９】
2012235910.tif 000011
【図１０】
2012235910.tif 000012
【図１１】
2012235910.tif 000013
【図１２】
2012235910.tif 000014
【図１３】
2012235910.tif 000015
【図１４】
2012235910.tif 000016
【図１５】
2012235910.tif 000017